(57)【要約】【課題】表示部を外側に向けて第１の筐体と第２の筐体とを折り畳んだ形態でテレビジョン放送を視聴する場合に、視聴しやすい角度かつ安定した状態で机等の平面上に設置できるようにする。【解決手段】表示部１１１を有する第１の筐体１１０と、操作部を有する第２の筐体１２０と、第１の筐体１１０と第２の筐体１２０とを折り畳み可能とする第１の連結部と、第１の筐体１１０を第１の筐体１１０の長手方向の中心軸を中心に回動可能とする第２の連結部とを備えた携帯端末として構成する。第２の連結部の回転軸を、第１の筐体の短辺の中心点同士を結んだ中心線に対して所定量だけ外側にシフトした位置に設け、第１の筐体１１０の表示部１１１を外側に向けた状態で、第１の連結部を介して第１の筐体１１０と第２の筐体１２０とを折り畳んだ時に、第１の筐体１１０と第２の筐体１２０とがずれた状態で重なり合うようにした。【選択図】図１
2008066996.tif 000002
【特許請求の範囲】
【請求項１】
表示部を有する第１の筐体と、操作部を有する第２の筐体とを備えた携帯端末において、
前記第１の筐体と前記第２の筐体とを連結し、第１の中心軸を中心に回動することで折り畳み可能に連結する第１の連結部と、
前記第１の中心軸と直交する第２の中心軸を中心に前記第１の筐体を第１の位置と第２の位置との間で回動可能に連結し、前記第１の筐体のほぼ中心から前記第２の中心軸を所定量シフトさせた位置に配置した第２の連結部とを備え、
前記第２の連結部で前記第１の筐体を第１の位置に回動させた状態で、前記第１の連結部を介して前記第１の筐体と第２の筐体とを折り畳んだ際に、前記第１の筐体と前記第２の筐体との位置がほぼ重なり、
前記第２の連結部で前記第１の筐体を第２の位置に回動させた状態で、前記第１の連結部を介して前記第１の筐体と第２の筐体とを折り畳んだ際に、前記第１の筐体と前記第２の筐体とが、前記第２の中心軸を所定量シフトさせたことに対応して、ずれた状態で重なる構成としたことを特徴とする
携帯端末。
【請求項２】
請求項１記載の携帯端末において、
前記第１の筐体及び前記第２の筐体の側面は、それぞれ所定の角度傾斜させてあり、
前記第２の連結部で前記第１の筐体を第２の位置とした状態で、前記第１の連結部を介して前記第１の筐体と第２の筐体とを折り畳んだ際に、両筐体の傾斜した側面がほぼ同一平面上に配置されることを特徴とする
携帯端末。
【請求項３】
請求項２記載の携帯端末において、
前記ほぼ同一平面上に配置された前記第１及び第２の筐体の傾斜した側面を、所定面に載せた場合に、前記第１の筐体と前記第２の筐体との重心位置を、両筐体を折り畳んだ際に中心となる位置よりも前記所定面側にシフトした位置としたことを特徴とする
携帯端末。
【請求項４】
請求項１記載の携帯端末において、
テレビジョン放送信号を受信するチューナを前記第１又は第２の筐体が内蔵することを特徴とする
携帯端末。
【請求項５】
請求項４記載の携帯端末において、
前記チューナの受信操作を行うテレビジョン操作部を備え、
前記テレビジョン操作部は、前記第１及び第２の筐体の一方の側面をほぼ同一平面上に配置した場合に、前記第１及び第２の筐体の他方の側面の間で生じる段差部に配置したことを特徴とする
携帯端末。
【請求項６】
請求項４記載の携帯端末において、
前記チューナで受信した音声を出力するスピーカを備え、
前記スピーカは、前記第１及び第２の筐体の一方の側面をほぼ同一平面上に配置した場合に、前記第１及び第２の筐体の他方の側面の間で生じる段差部に配置したことを特徴とする
携帯端末。
【発明の詳細な説明】
【技術分野】
【０００１】
本発明は、例えば携帯電話端末に適用して好適な携帯端末に関し、特に２軸ヒンジと称される機構で２つの筐体を連結したものに適用される携帯端末に関する。
【背景技術】
【０００２】
近年、携帯電話端末の形状において、操作部を備えた第１の筐体と、表示部を備えた第２の筐体とが、互いに直交する２つの回転軸を有する２軸ヒンジによって折り畳み可能に連結されているものが増えてきている。また、テレビジョン放送の受信する機能を有する携帯電話端末が普及しているのを受け、上述したような形状の携帯電話端末においても、テレビジョン放送の受信機能を持たせたものが増えている。このような形状の携帯電話端末においては、テレビジョン放送を見やすくするため、テレビジョン放送が表示される表示部を外側に向けた状態で、第１の筐体と第２の筐体とを折り畳めるようにしたものも多い。
【０００３】
特許文献１には、表示部を表向きにして第１の筐体と第２の筐体とを折り畳むことができるようにしたことについての開示がある。
【特許文献１】特開２００２−１７１１８９号公報
【発明の開示】
【発明が解決しようとする課題】
【０００４】
ところで、表示部を外側に向けて第１の筐体と第２の筐体とを折り畳んだ状態で、テレビジョン放送を視聴する場合は、手で携帯電話端末を保持していれば見やすい角度での視聴が可能となる。ところが、机等に設置して視聴したい場合は、設置面に平行に寝かせるか垂直に立てるしかなく、表示面を見やすい角度に調整した上で視聴を行いたい場合には、専用の台上に設置するしかなかった。
【０００５】
本発明はかかる点に鑑みてなされたものであり、表示部を外側に向けて第１の筐体と第２の筐体とを折り畳んだ状態でテレビジョン放送を視聴する場合に、視聴しやすい角度かつ安定した状態で机等の平面上に設置可能な携帯端末を提供することを目的とする。
【課題を解決するための手段】
【０００６】
本発明は、表示部を有する第１の筐体と、操作部を有する第２の筐体と、第１の筐体と第２の筐体とを折り畳み可能とする第１の連結部と、第１の筐体を第１の筐体の長手方向の中心軸を中心に回動可能とする第２の連結部とを備えた携帯端末に適用する。第２の連結部の回転中心は、所定量だけ中心からシフトさせるようにした。その上で、第１の筐体の表示部を外側に向けた状態で第１の連結部を介して第１の筐体と第２の筐体とを折り畳んだ時に、第１の筐体の長手方向の中心線と第２の筐体の長手方向の中心線とがずれた状態で第１の筐体と第２の筐体とが重なり合うようにしたものである。
【０００７】
また本発明は、第１の筐体及び第２の筐体の側面に所定の角度の傾斜をつけてあり、第１の筐体の表示部を外側に向けた状態で、第１の筐体と第２の筐体とを折り畳むことで、第１の筐体の片側の側面と第２の筐体の片側の側面とがほぼ一致し、両筐体の傾斜面が同一の平面上に配置されるようにしたものである。
【０００８】
このようにしたことで、第１の筐体の表示部を外側に向けた状態で第１の筐体と第２の筐体とを折り畳み、第１の筐体の片側の側面の傾斜面と第２の筐体の片側の側面の傾斜面とを下にして配置すると、表示部を外側に向けた状態で若干傾斜して直立するようになる。
【発明の効果】
【０００９】
本発明によると、表示部を外側に向けて第１の筐体と第２の筐体とを折り畳んだ状態でテレビジョン放送を視聴する場合に、視聴しやすい角度かつ安定した状態で机等の平面上に携帯端末を設置することができるようになる。
【発明を実施するための最良の形態】
【００１０】
以下、本発明の一実施の形態を、図１〜図９を参照して説明する。
【００１１】
本実施の形態例においては、テレビジョン放送受信機能を備えた携帯電話端末に適用したものである。まず、本例の携帯電話端末の全体構成を、図１〜図３を参照して説明する。図１〜図３に示した本例の携帯電話端末１００は、折り畳み型の携帯電話端末として構成してある。図１は閉じた状態を示してあり、図２は開いた状態を示してあり、図３では筐体の回動状態を示してある。
【００１２】
図２を参照して、携帯電話端末１００の開いた状態を基に説明すると、携帯電話端末１００は、それぞれがほぼ細長い形状の第１の筐体１１０と第２の筐体１２０とが、ヒンジ部１３０を介して回動可能な状態で接続してある。ヒンジ部１３０は、図２にθ１として示した回動方向に第１の筐体１１０及び第２の筐体１２０を回動させることが可能な第１の回転軸１３１ａと、θ２として示した回動方向に第１の筐体１１０を回動させることが可能な第２の回転軸１３２ａとを備えた２軸ヒンジである。第１の回動軸１３１ａと第２の回転軸１３２ａとは直交する方向である。本例においては、第２の回転軸１３２ａを、第１の筐体１１０の短辺の中心点同士を結んだ中心線Ｃ１よりも、外側にずらして配置するようにしてある。ヒンジ部１３０の構成の詳細については後述する。
【００１３】
図２において、第１の筐体１１０には、液晶表示パネルなどで構成される表示部１１１が配置してあると共に、上端に図示せぬスピーカが配置してある。表示部１１１には、電話としての使用時においては電話番号が、メールとしての使用時には送受信するメール文等が表示され、テレビジョン放送受信時にはテレビジョン放送の映像が表示される。なお、表示部１１１に表示されるテレビジョン放送の映像は、図２に示されるように表示部１１１が縦長な状態においては縦長に表示され、図８に示されるように表示部１１１が横長な状態においては横長に表示されるようにしてある。
【００１４】
第２の筐体１２０には、数字などのダイヤルキーや各種機能キーで構成される操作部１２１が配置してあると共に、下端には図示せぬマイクロフォンを配置してある。操作部１２１として用意された機能キーの中には、テレビジョン放送受信機能に関するキーもあり、テレビジョン放送の受信を開始させるキーや、チャンネルの指定を行うキー、音声の調整を行うキー等がある。なお、テレビジョン放送受信機能に関するキーは、ダイヤルキー等に割り当てて、電話としての使用時とテレビジョン放送視聴時とで共通に使用できるようにしてもよく、ダイヤルキー等のキーとは異なる面に配置するようにしてもよい。
【００１５】
図１（ａ）は、本例の携帯電話端末１００を閉じた状態の例を示した図である。図１（ａ）に示すように、閉じた状態では、図２に示した第１の筐体１１０に設けられた表示部１１１や、第２の筐体１２０に設けられた操作部１２１などは内側に収納された状態となる。また本例では、第１の筐体１１０の側面であるＳ１及びＳ２にθ３として示される傾斜を設けてあり、第２の筐体１２０の側面であるＳ３及びＳ４に、θ４として示される傾斜を設けてある。θ３とθ４とは、例えば２０°等のほぼ同一の角度とする。
【００１６】
図３は、第１の筐体１１０がヒンジ部１３０を介して回動した状態の例を示した図である。表示部１１１を備えた第１の筐体１１０は、ヒンジ部１３０の第２の連結部の回転軸１３２を中心にθ２の回動方向に回動可能な構成としてあり、図３では、回転軸１３２ａを中心に、第１の筐体１１０がθ２方向に所定の角度だけ回動している様子を示してある。回転軸１３２ａは、前述したとおり第１の筐体１１０の中心線Ｃ１より外側にずらして設けてあるため、図３に示されたような第１の筐体１１０が回転した状態では、軸が中心線上に設けられた場合に比べて、第１の筐体１１０が図中に矢印Ａ１で示された方向にずれる。また、第１の筐体１１０は、ヒンジ部１３０の回転軸１３２を中心に１８０°回転させることが可能であり、第１の筐体１１０を１８０°回転させた状態で、ヒンジ部１３０の第１の連結部の回転軸１３１ａを中心に第２の筐体１２０側に倒すと、表示部１１１が外側を向いた状態で第１の筐体１１０と第２の筐体１２０とが閉じることができる。
【００１７】
このような状態で第１の筐体１１０と第２の筐体１２０とを折り畳んだ例を、図１（ｂ）に示してある。図１（ｂ）においては、第１の筐体１１０に設けられた表示部１１１が外側に向けられた状態で、第１の筐体１１０と第２の筐体１２０とが折り畳まれている様子が示されている。折り畳まれた形状の詳細については後述する。
【００１８】
次に、図４及び図５を参照して、本例の携帯電話端末１００のヒンジ部１３０の構成の詳細について説明する。図４は、第１の筐体１１０と第２の筐体１２０とを連結するヒンジ部１３０の構成の例を示した図である。図４において、第１の連結部１３１は、回転軸１３１ａを中心に、第１の筐体１１０と第２の筐体１２０とをθ１方向に回動可能な状態で連結してある。第２の連結部１３２は、回転軸１３２ａを中心として第１の筐体１１０がθ２方向に回動可能な状態で、第１の筐体１１０と第２の筐体１２０とを連結してある。
【００１９】
図５は、ヒンジ部１３０の第２の連結部１３２の回転軸１３２ａの配置例を示した図である。図５において、第１の筐体１１０の短辺の中心点同士を結んだ中心線を中心線Ｃ１として示してあり、回転軸１３２ａが、Ｍ１として示された所定の量だけ中心線Ｃ１より外側にずらして設けてある様子を示してある。
【００２０】
このように構成することで、図６（ａ）に示すように、第１の筐体１１０の表示部１１１が外側を向いた状態で第１の筐体１１０と第２の筐体１２０とが折り畳まれた状態においては、図５においてＭ１として示したずれの量の２倍の量であるＭ２分だけ、第１の筐体１１０が第２の筐体１２０に対して矢印Ａ２で示される方向にずれて配置される。なお、第１の筐体１１０の側面Ｓ１と第２の筐体１２０の側面Ｓ４には、前述したように傾斜角を設けてあり、その傾斜角は、図６（ａ）に示された状態において両傾斜面同士がほぼ同一平面上に配置されるように調整してある。一方、図６（ｂ）に示すように、第１の筐体１１０の表示部１１１と第２の筐体１２０の操作部１２１とが内側に収納された状態で、第１の筐体１１０と第２の筐体１２０とが折り畳まれた状態においては、第１の筐体１１０と第２の筐体１２０とはずれずに結合される。
【００２１】
図７は、第２の筐体１２０の側面Ｓ４を下にして携帯電話端末１００を立てた状態の例を示す図である。図７（ａ）は、表示部１１１を外に向けた上で第１の筐体１１０と第２の筐体１２０とを折り畳んだ状態の例を示す図であり、図７（ｂ）は、表示部１１１を内側に向けたままで第１の筐体１１０と第２の筐体１２０とを折り畳んだ状態の例を示す図である。
【００２２】
図７（ａ）においては、第２の筐体１２０に対して、第１の筐体１１０が矢印Ａ２で示される方向にずれて配置されているため、ずれの分だけ第１の筐体１１０の重心Ｇ１が低くなっている。図７（ｂ）においては、第１の筐体１１０と第２の筐体１２０とがずれずに結合されているため、第１の筐体１１０の重心Ｇ２は、図７（ａ）における第１の筐体１１０の重心Ｇ１よりも高くなる。よって、図７（ａ）において、携帯電話端末１００の倒れる方向Ｂ１の支点であるＦ１に対して働く回転モーメントは、図７（ｂ）に示された携帯電話端末１００の支点Ｆ２に対して働く回転モーメントよりも小さくなる。このため、図７（ｂ）に示されたような状態のほうが、より安定した状態となる。
【００２３】
図８は、図７（ａ）に示された携帯電話端末１００を右斜め前方から見た斜視図である。図８においては、表示部１１１が、設置面に対する垂直面からθ５として示された角度だけ水平方向に傾斜している様子が示してある。図８においてθ５として示された角度は、すなわち、第１の筐体１１０の側面Ｓ１に設けられた傾斜角及び第２の筐体１２０の側面４に設けられた傾斜角である。
【００２４】
次に、図９を参照して、本例の携帯電話端末１００の内部構成例について説明する。本例の携帯電話端末１００は、無線電話用の基地局と無線通信を行うための無線電話通信用アンテナ１１を備え、そのアンテナ１１が無線電話通信用の通信部１２に接続してあり、制御部１３の制御で、基地局との間で無線通信を行うようにしてある。通信部１２で通話用の通信を行う際には、受信した音声データをスピーカ１７に供給して出力させる。このスピーカ１７から出力させる際には、音声処理部１９でスピーカ出力用の処理が行われる。また、マイクロフォン１３が拾って得た音声データを、通信部１２に供給して送信させる。この送信時にも、音声処理部１９でマイクロフォン１８の出力を送信用の音声データとする音声処理が行われる。音声処理部１９には、後述するテレビジョン放送の音声を出力するテレビジョン用スピーカ２３も接続してある。表示部１１１と操作部１２１については、図２の構成例を参照に説明済みであるため、ここでは説明を省略する。
【００２５】
これらの携帯電話端末１００内の各ブロックは、制御ライン２５を介して制御部１３などと接続してある。またデータライン２６を介してデータ転送を行える構成としてあり、メモリ１６に必要なデータを記憶させるようにしてある。メモリ１６は、ＲＯＭ（Read Only Memory）やＲＡＭ（Random Access Memory）等で構成され、制御部１３が各部を制御するための制御プログラムや各種の初期設定値を記憶してある他、制御部１３が各種のデータ処理を行う際の作業領域としても使われる。なお、メモリ１６とは別に、大容量のデータ記憶手段であるハードディスクドライブ装置などを備えて、記憶手段の一部として使用されるようにしてもよい。
【００２６】
制御部１３は、例えばＣＰＵ（Central Processing Unit）等の演算制御装置（プロセッサ）からなり、メモリ１６に記録されている各コンピュータ・プログラムに従い、各種処理のための作業領域としてメモリ１６使用しながら所定の処理を実行し、携帯電話端末１００内の各部の制御を行う。
【００２７】
また、本例の携帯電話端末１００は、テレビジョン放送局からの電波を受信するアンテナ２０と、アンテナ２０が得た電波から特定のチャンネルの放送信号を得るチューナ２１を備え、テレビジョン放送を受信可能な構成としてある。チューナ２１では、操作部１２１からの操作入力に応じて制御部１３で生成される指令に基づき、チャンネルを選局する。チューナ２１で得られた放送信号は復調部２２で復調され、映像信号及び音声信号とされる。
【００２８】
復調部２２で得られた音声信号は、音声処理部１９に供給され、音声処理部でスピーカ出力用の処理が行われた後にテレビジョン用スピーカ２４から出力される。また、復調部２２で得られた映像信号は、画像処理部２３に供給され、画像処理部２３でホワイトバランス補正、ガンマ補正等の各種画像補正が施された上で、表示部１１１に表示される。なお、本例の携帯電話端末１００が受信するテレビジョン放送は、地上波アナログテレビジョン放送、ディジタルテレビジョン放送の何れであっても良いものとする。
【００２９】
このように、表示部１１１を表に向けた状態で第１の筐体１１０と第２の筐体１２０とを折り畳み、筐体の長手側の側面を下にして机の上等に立てると、筐体の側面に設けられた傾斜の分だけ後方に傾くため、視聴しやすい角度でのテレビジョン放送視聴が可能となる。
【００３０】
また、表示部１１１を表に向けた状態で第１の筐体１１０と第２の筐体１２０とを折り畳み、筐体の長手側の側面を下にして机の上等に立てると、第１の筐体１１０の重心が低くなるため、安定した状態での設置が可能となる。
【００３１】
なお、ここまで説明した実施の形態では、テレビジョンのチャンネル指定や音声調整を行う操作キーを、第２の筐体に設けられた操作部１２１の一部として配置させた例を説明したが、図１０に示すように、第１の筐体１１０と第２の筐体１２０とがずれて折り畳まれていることにより生じる段差の部分に、集中して配置させるようにしてもよい。図１０においては、チャンネル指定や音声調整を行うための操作キー１２３と、テレビジョン放送用のスピーカ２４とが、第２の筐体１２０の上端部分に配置してある。このように構成することで、テレビジョン放送視聴中にチャンネルやボリュームを変更したくなった場合にも、筐体を開閉したり回転させたりする必要が無くなり、使い勝手が良くなる。
【００３２】
また、ここまで説明した実施の形態では、携帯電話端末に適用した例を説明したが、これに限らず、例えば、テレビジョン放送受信機能を有するＰＤＡ（Personal Digital Assistants）や携帯ゲーム機、又は同等の機能を有するその他の装置等であってもよく、様々な装置に広く適用可能である。
【図面の簡単な説明】
【００３３】
【図１】本発明の一実施の形態による携帯電話端末の閉じた状態の例を示す斜視図である。
【図２】本発明の一実施の形態による携帯電話端末の開いた状態の例を示す斜視図である。
【図３】本発明の一実施の形態による携帯電話端末の筐体の回動状態の例を示す斜視図である。
【図４】本発明の一実施の形態によるヒンジ部の構成例を示す斜視図である。
【図５】本発明の一実施の形態によるヒンジ部の構成例を示す正面図である。
【図６】本発明の一実施の形態による携帯電話端末の閉じた状態の例を示す側面図である。
【図７】本発明の一実施の形態による携帯電話端末の設置例を示す側面図である。
【図８】本発明の一実施の形態による携帯電話端末の設置例を示す斜視図である。
【図９】本発明の一実施の形態による携帯電話端末の内部構成例を示すブロック図である。
【図１０】本発明の他の形態による携帯電話端末の設置例を示す斜視図である。
【符号の説明】
【００３４】
１１…アンテナ、１２…通信部、１３…制御部、１７…スピーカ、１８…マイクロフォン、１９…音声処理部、２０…アンテナ、２１…チューナ、２２…復調部、２３…画像処理部、２４…テレビジョン用スピーカ、２５…制御ライン、２６…データライン、１００…携帯電話端末、１１０…第１の筐体、１１１…表示部、１２０…第２の筐体、１２１、１２３…操作部、１３０…ヒンジ部、１３１…第１の連結部、１３１ａ…回転軸、１３２…第２の連結部、１３２ｂ…回転軸、θ１、θ２…回動方向、Ｇ…重心、Ｓ…側面
【図１】
2008066996.tif 000003
【図２】
2008066996.tif 000004
【図３】
2008066996.tif 000005
【図４】
2008066996.tif 000006
【図５】
2008066996.tif 000007
【図６】
2008066996.tif 000008
【図７】
2008066996.tif 000009
【図８】
2008066996.tif 000010
【図９】
2008066996.tif 000011
【図１０】
2008066996.tif 000012